【事件の表示】
　特許第２８０１２０２号「カメラ用シヤツタ」の請求項１ないし２に係る特許に対する特許異議の申立てについて、次のとおり決定する。
【結論】
　訂正を認める。
　特許第２８０１２０２号の請求項１ないし２に係る特許を維持する。
【理由】
１、手続の経緯
　本件特許第２８０１２０２号の請求項１及び２に係る発明は、昭和６３年５月１７日に出願され、平成１０年７月１０日にその特許の設定登録がなされ、その後、セイコープレシジョン株式会社より特許異議の申立てがなされ、当審において取消理由通知がなされ、その指定期間内である平成１１年８月２３日に訂正請求がなされた後、その訂正請求に対して訂正拒絶理由が通知され、その通知書で指定した期間内である平成１１年１０月６日付けで前記訂正請求に対する手続補正書が提出されたものである。
２、訂正の適否
（１）手続補正書による補正
　前記補正は、訂正請求書に添付した全文訂正明細書の特許請求の範囲の請求項１及び２を特許請求の範囲の減縮を目的として補正すると共に、該補正に伴い発明の詳細な説明の記載との整合性を図るため、明瞭でない記載の釈明を目的として、明細書の記載を補正するものであり、これらの補正は前記全文訂正明細書及び該明細書に添付した図面に記載された事項の範囲内であり、実質上その特許請求の範囲を拡張し、又は変更するものではない。
　したがって、前記手続補正書による補正は、訂正請求書の要旨を変更するものではない。
　よって、前記手続補正書による補正は、特許法第１２０条の４第３項において準用する同法第１３１条第２項の規定に適合するものである。
（２）訂正の内容
　前記手続補正書による補正により、前記訂正明細書によって訂正される事項は、以下のとおりと認める。
　訂正事項ａ
　特許請求の範囲の請求項１を以下のように訂正する。
「（１）合成樹脂より成形されたシヤツタ地板を有し、前記シヤツタ地板の一方面にはシヤツタ羽根群が配置され、他方面には前記シヤツタ羽根群を駆動するための駆動機構が配置されるカメラ用シヤツタにおいて、
　前記シヤツタ地板の前記一方面に、前記シヤツタ羽根群をリンク支持する先羽根及び後羽根アームを回転可能に支持する複数の軸を突出するように一体成形すると共に、前記一方面における前記複数の軸の周囲領域のうち前記複数の軸に挿入される前記先羽根及び後羽根アームの内、主アームの軸受と重なる領域を凹部状に一体成形したことを特徴とするカメラ用シヤツタ。」
　訂正事項ｂ
　特許請求の範囲の請求項２を以下のように訂正する。
「（２）合成樹脂より成形されたシヤツタ地板を有し、前記シヤツタ地板の一方面には複数のシヤツタ羽根群が配置され、他方面には前記複数のシヤツタ羽根群を駆動するための駆動機構が配置されるカメラ用シヤツタにおいて、
　前記シヤツタ地板の前記一方面に、前記複数のシヤツタ羽根群をリンク支持する先羽根アームの主アームと補助アーム及び後羽根アームの主アームと補助アームを回転可能に支持する複数の軸を前記シヤツタ地板の一端縁近傍に突出するように一体成形し、前記一方面における前記複数の軸の各々の周囲領域のうち前記複数の軸に挿入される前記先羽根アームの前記主アームと前記補助アーム及び前記後羽根アームの前記主アームと前記補助アームの軸受と重なる領域を凹部状にし、前記先羽根アームの前記主アームと前記補助アーム及び前記後羽根アームの前記主アームと前記補助アームの軸受と重なる領域を除く前記複数の軸の各々の周囲領域をアパーチヤの周囲領域より凸部状にすると共に、前記凸部状にした複数の周囲領域をつなげて一体成形したことを特徴とするカメラ用シヤツタ。」
　訂正事項ｃ
　特許掲載公報第４欄第６行〜第３０行の記載を以下のように訂正する。
「請求項１の発明は、合成樹脂より成形されたシヤツタ地板を有し、前記シヤツタ地板の一方面にはシヤツタ羽根群が配置され、他方面には前記シヤツタ羽根群を駆動するための駆動機構が配置されるカメラ用シヤツタにおいて、前記シヤッタ地板の前記一方面に、前記シヤツタ羽根群をリンク支持する先羽根及び後羽根アームを回転可能に支持する複数の軸を突出するように一体成形すると共に、前記一方面における前記複数の軸の周囲領域のうち前記複数の軸に挿入される前記先羽根及び後羽根アームの内、主アームの軸受と重なる領域を凹部状に一体成形したカメラ用シヤツタを特徴とする。
　請求項２の発明は、合成樹脂より成形されたシヤツタ地板を有し、前記シヤツタ地板の一方面には複数のシヤツタ羽根群が配置され、他方面には前記複数のシヤツタ羽根群を駆動するための駆動機構が配置されるカメラ用シヤツタにおいて、前記シヤツタ地板の前記一方面に、前記複数のシヤツタ羽根群をリンク支持する先羽根アームの主アームと補助アーム及び後羽根アームの主アームと補助アームを回転可能に支持する複数の軸を前記シヤツタ地板の一端縁近傍に突出するように一体成形し、前記一方面における前記複数の軸の各々の周囲領域のうち前記複数の軸に挿入される前記先羽根アームの前記主アームと前記補助アーム及び前記後羽根アームの前記主アームと前記補助アームの軸受と重なる領域を凹部状にし、前記先羽根アームの前記主アームと前記補助アーム及び前記後羽根アームの前記主アームと前記補助アームの軸受と重なる領域を除く前記複数の軸の各々の周囲領域をアパーチュアの周囲領域より凸部状にすると共に、前記凸部状にした複数の周囲領域をつなげて一体成形したカメラ用シヤツタを特徴とする。」
（３）訂正の目的の適否、新規事項の有無及び拡張・変更の存否
　上記訂正事項ａ，ｂは、特許請求の範囲の減縮に該当し、上記訂正事項ｃは、明瞭でない記載の釈明に該当するものである。
　そして、上記訂正事項ａないしｃは、願書に添付した明細書又は図面に記載された事項の範囲内であって新規事項の追加に該当せず、実質的に特許請求の範囲を拡張又は変更するものではない。
（４）独立特許要件の判断
（引用刊行物）
　刊行物１実願昭６１−１３８９９０号（実開昭６３−４５５４０号）のマイクロフイルム
　刊行物２特開昭６１−２５８２３４号公報
　刊行物３実願昭５９−１５７５１６号（実開昭６１−７２６９４号）のマイクロフイルム
　刊行物４実願昭６１−１５６４４６号（実開昭６３−６２７９１号）のマイクロフイルム
　上記刊行物１には、以下のような事項（発明）が記載されている。
　即ち、第１図ないし第３図の記載と、
「複数の遮光性薄板からなる２組の羽根群をシヤツタ基板上のシヤツタ開口の側方に設け該羽根群をカバー板で被ってなるフオーカルプレーンシヤツタにおいて、前記羽根群を作動する駆動部材の支持軸及び少なくともミラーボツクスの一部または遮光枠をシヤツタ基板とともにプラスチツク材料により一体に成形したことを特徴とするカメラ用のフオーカルプレーンシヤツタ基板。」（明細書第１頁第５行〜１２行）。
「第１図において、シヤツタ基板１にはシヤツタ開口１ａが形成され、開口１ａの周辺部には、・・・シヤツタ羽根制御機構Ｍの羽根群を作動するための駆動部材の支持軸１ｃ及びその他の作動部材の支持軸１ｄと、・・・羽根柱１ｅ、シヤツタ取付穴１ｆ等が、プラスチツク材料によって一体に成形されている。
　第２図は、シヤツタ基板１の単体を示すもので支持軸１ｃ，１ｄ取付柱１ｅ及び取付穴１ｆ等が一体に成形されており、」（明細書第３頁第１５行〜第４頁第９行）。
　なる事項が記載されていることからして、
「プラスチツク材料により成形されたシヤツタ基板を有し、前記シヤツタ基板の一方面にはシヤツタ羽根群が設けられ、他方面には前記シヤツタ羽根群を作動するための駆動部材を備えたシヤツタ羽根制御機構が設けられたカメラ用フオーカルプレーンシヤツタにおいて、
　前記シヤツタ羽根群を作動するための前記駆動部材用の複数の支持軸が前記シヤツタ基板から突出するように一体成形されたカメラ用フオーカルプレーンシヤツタ。」
　が記載され、また、上記シヤツタ羽根群は２組である点と、上記支持軸がシヤツタ基板上のシヤツタ開口の側方に設けられる点が記載されている。
　上記刊行物２には、以下のような事項が記載されている。
　即ち、第１図の記載と、該図面に関連した明細書の記載事項からして、
「カメラ本体の底面地板において、歯車１１の取付軸の周囲領域が凹部状に該地板に一体成形されている点が記載され、また、該底面地板には凹部状の部分と凸部状の部分とが設けられ、該凸部状の部分は連続した所定の拡がりをもって該地板に一体成形されている構成」。
　が記載されている。
　上記刊行物３には、以下のような事項が記載されている。
　即ち、第１図の記載と、該図面に関連した明細書の記載事項からして、
「タイマ付時計の駆動部におけるロータ１７の取付部の構造において、中板６の前記ロータの軸受部と重なる領域に凹部状部分が一体成形された構成」。
　が記載されている。
　上記刊行物４には、以下のような事項が記載されている。
　即ち、第１図ないし第４図の記載と、該図面に関連した明細書の記載事項からして、
「時計の指針車の軸受構造において、地板に設けられるホゾ部の周囲に一体的に凹部が形成されており、該ホゾ部に嵌合する指針車の軸受部が該凹部内に位置するようにした構成」。
　が記載されている。
（対比、判断）
　先ず、訂正明細書の請求項１に係る発明（以下、「本件発明１」という。）と、当審で引用した上記刊行物１に記載された発明とを対比すると、
　刊行物１に記載された発明には、本件発明の合成樹脂により成形されたシヤツタ地板において「シヤツタ地板の一方面に、シヤツタ羽根群をリンク支持する先羽根及び後羽根アームを回転可能に支持する複数の軸を突出するように一体成形すると共に、前記一方面における前記複数の軸の周囲領域のうち前記複数の軸に挿入される前記先羽根及び後羽根アームの内、主アームの軸受と重なる領域を凹部状に一体成形した」とした点の構成については記載されておらず、しかも、この点の構成は、該刊行物１に記載された発明のものから自明なものではなく、また、該刊行物１に記載された発明に上記刊行物２ないし４に記載された発明を適用しても容易に導き出せるものではない。即ち、上記刊行物２ないし４に記載された発明はいずれもシヤツタの技術に直接関係するものではなく、上記本件発明１の羽根アームのようなアームの軸受と重なる領域に対する技術的対策でもない。そして、本件発明は上記したように羽根アームの軸受と重なる領域を凹部状にするという特定された構成により、アームの軸受の嵌合長を長くしてアームの傾きを小さくするという明細書に記載の特有の作用効果を奏するものであるから、本件発明の上記の点の構成は、刊行物１に記載された発明に刊行物２ないし４に記載された発明を適用しても容易に導き出せるものではない。
　次に訂正明細書の請求項２に係る発明（以下、「本件発明２」という。）と、当審で引用した上記刊行物１に記載された発明とを対比すると、
　刊行物１に記載された発明には、本件発明２の合成樹脂より成形されたシヤツタ地板において「シヤツタ地板の一方面に、複数のシヤツタ羽根群をリンク支持する先羽根アームの主アームと補助アーム及び後羽根アームの主アームと補助アームを回転可能に支持する複数の軸を前記シヤツタ地板の一端縁近傍に突出するように一体成形し、前記一方面における前記複数の軸の各々の周囲領域のうち前記複数の軸に挿入される前記先羽根アームの前記主アームと前記補助アーム及び前記後羽根アームの前記主アームと前記補助アームの軸受と重なる領域を凹部状にし」とした点の構成については記載されておらず、しかも、この点の構成は、該刊行物１に記載された発明のものから自明なものではなく、また、刊行物１に記載された発明に上記刊行物２ないし４に記載された発明を適用しても上記本件発明１について述べた理由と同様の理由により容易に導き出せるものではない。
　したがって、上記の点の構成をそれぞれ備えた本件発明１及び２は、上記刊行物１ないし４に記載された発明に基づいて容易に発明をすることができたものであるとすることはできない。
　そして、他に本件発明について、独立して特許を受けることができないとする理由は発見しないから、本件発明は特許出願の際独立して特許を受けることができるものである。
（５）むすび
　以上のとおりであるから、上記訂正請求は、特許法第１２０条の４第２項及び同条第３項で規定する訂正について、平成６年法律第１１６号附則第６条第１項の規定により、なお従前の例によるとされる、改正前の特許法第１２６条第１項ただし書き、同条第２項及び同条第３項の規定に適合するので、当該訂正を認める。
３、特許異議の申立てについての判断
（１）異議申立ての理由の概要
　異議申立人セイコープレシジョン株式会社は、下記の証拠を提出し次のように主張している。
　本件請求項１及び２に係る発明は、下記の甲第１号証ないし甲第４号証に記載された発明に基づいて容易に発明をすることができたものであるから特許法第２９条第２項の規定に違反してなされたものであり取り消されるべきものである。
　甲第１号証　実願昭６１−１３８９９０号（実開昭６３−４５５４０号）のマイクロフイルム
　甲第２号証　特開昭６１−２５８２３４号公報
　甲第３号証　実願昭５９−１５７５１６号（実開昭６１−７２６９４号）のマイクロフイルム
　甲第４号証　実願昭６１−１５６４４６号（実開昭６３−６２７９１号）のマイクロフイルム
（２）異議申立人の主張についての検討
（甲各号証に記載された発明）
　異議申立人の提出した上記甲第１号証ないし甲第４号証には、前記２−（４）「独立特許要件の判断」の「（引用刊行物）」の項において述べたとおりの発明が記載されている。
（対比・判断）
　本件発明１及び２（訂正明細書の請求項１及び２に係る発明）と上記甲第１号証ないし甲第４号証に記載された発明（前記刊行物１ないし４に記載された発明に相当する。）との「対比・判断」については、前記２−（４）の「独立特許要件の判断」の項において述べたとおりであり、異議申立人が提出した上記甲第１号証ないし甲第４号証に記載された発明に基づいて当業者が容易に発明をすることができたものではないから、本件発明１及び２の特許は特許法第２９条第２項の規定に違反するものではない。
（３）以上のとおりであるから、本件発明１及び２の特許、即ち、本件訂正明細書の請求項１及び２に係る発明の特許は、異議申立人セイコープレシジョン株式会社の主張した理由及び証拠によっては取り消すことはできない。
　また、他に本件訂正明細書の請求項１及び２に係る発明の特許を取り消すべき理由を発見しない。
　よって、結論のとおり決定する。
【異議決定日】
平成１１年１０月１９日（１９９９．１０．１９）
【訂正の要旨】
　訂正事項ａ
　特許請求の範囲の請求項１をその減縮を目的として以下のように訂正する。
「（１）合成樹脂より成形されたシヤツタ地板を有し、前記シヤツタ地板の一方面にはシヤツタ羽根群が配置され、他方面には前記シヤツタ羽根群を駆動するための駆動機構が配置されるカメラ用シヤツタにおいて、
　前記シヤツタ地板の前記一方面に、前記シヤツタ羽根群をリンク支持する先羽根及び後羽根アームを回転可能に支持する複数の軸を突出するように一体成形すると共に、前記一方面における前記複数の軸の周囲領域のうち前記複数の軸に挿入される前記先羽根及び後羽根アームの内、主アームの軸受と重なる領域を凹部状に一体成形したことを特徴とするカメラ用シヤツタ。」
　訂正事項ｂ
　特許請求の範囲の請求項２をその減縮を目的として以下のように訂正する。
「（２）合成樹脂より成形されたシヤツタ地板を有し、前記シヤツタ地板の一方面には複数のシヤツタ羽根群が配置され、他方面には前記複数のシヤツタ羽根群を駆動するための駆動機構が配置されるカメラ用シヤツタにおいて、
　前記シヤツタ地板の前記一方面に、前記複数のシヤツタ羽根群をリンク支持する先羽根アームの主アームと補助アーム及び後羽根アームの主アームと補助アームを回転可能に支持する複数の軸を前記シヤツタ地板の一端縁近傍に突出するように一体成形し、前記一方面における前記複数の軸の各々の周囲領域のうち前記複数の軸に挿入される前記先羽根アームの前記主アームと前記補助アーム及び前記後羽根アームの前記主アームと前記補助アームの軸受と重なる領域を凹部状にし、前記先羽根アームの前記主アームと前記補助アーム及び前記後羽根アームの前記主アームと前記補助アームの軸受と重なる領域を除く前記複数の軸の各々の周囲領域をアパーチヤの周囲領域より凸部状にすると共に、前記凸部状にした複数の周囲領域をつなげて一体成形したことを特徴とするカメラ用シヤツタ。」
　訂正事項ｃ
　特許掲載公報第４欄第６行〜第３０行の記載をその明瞭でない記載の釈明を目的として以下のように訂正する。
「請求項１の発明は、合成樹脂より成形されたシヤツタ地板を有し、前記シヤツタ地板の一方面にはシヤツタ羽根群が配置され、他方面には前記シヤツタ羽根群を駆動するための駆動機構が配置されるカメラ用シヤツタにおいて、前記シヤッタ地板の前記一方面に、前記シヤツタ羽根群をリンク支持する先羽根及び後羽根アームを回転可能に支持する複数の軸を突出するように一体成形すると共に、前記一方面における前記複数の軸の周囲領域のうち前記複数の軸に挿入される前記先羽根及び後羽根アームの内、主アームの軸受と重なる領域を凹部状に一体成形したカメラ用シヤツタを特徴とする。
　請求項２の発明は、合成樹脂より成形されたシヤツタ地板を有し、前記シヤツタ地板の一方面には複数のシヤツタ羽根群が配置され、他方面には前記複数のシヤツタ羽根群を駆動するための駆動機構が配置されるカメラ用シヤツタにおいて、前記シヤツタ地板の前記一方面に、前記複数のシヤツタ羽根群をリンク支持する先羽根アームの主アームと補助アーム及び後羽根アームの主アームと補助アームを回転可能に支持する複数の軸を前記シヤツタ地板の一端縁近傍に突出するように一体成形し、前記一方面における前記複数の軸の各々の周囲領域のうち前記複数の軸に挿入される前記先羽根アームの前記主アームと前記補助アーム及び前記後羽根アームの前記主アームと前記補助アームの軸受と重なる領域を凹部状にし、前記先羽根アームの前記主アームと前記補助アーム及び前記後羽根アームの前記主アームと前記補助アームの軸受と重なる領域を除く前記複数の軸の各々の周囲領域をアパーチュアの周囲領域より凸部状にすると共に、前記凸部状にした複数の周囲領域をつなげて一体成形したカメラ用シヤツタを特徴とする。」
（５４）【発明の名称】
カメラ用シヤツタ
（５７）【特許請求の範囲】
（１）合成樹脂より成形されたシヤツタ地板を有し、前記シヤツタ地板の一方面にはシヤツタ羽根群が配置され、他方面には前記シヤツタ羽根群を駆動するための駆動機構が配置されるカメラ用シヤツタにおいて、
前記シヤツタ地板の前記一方面に、前記シヤツタ羽根群をリンク支持する
先羽根及び後羽根アーム
複数の
複数の
複数の
先羽根及び後羽根アームの内、主
（２）合成樹脂より成形されたシヤツタ地板を有し、前記シヤツタ地板の一方面には複数のシヤツタ羽根群が配置され、他方面には前記複数のシヤツタ羽根群を駆動するための駆動機構が配置されるカメラ用シヤツタにおいて、
前記シヤツタ地板の前記一方面に、前記複数のシヤツタ羽根群をリンク支持する
先羽根アームの主アームと補助アーム及び後羽根アームの主アームと補助アーム
先羽根アームの前記主アームと前記補助アーム及び前記後羽根アームの前記主アームと前記補助アーム
先羽根アームの前記主アームと前記補助アーム及び前記後羽根アームの前記主アームと前記補助アーム
【発明の詳細な説明】
［産業上の利用分野］
　本発明はカメラ用シヤツタに関する。
［従来の技術］
　従来のカメラ用シヤツタとしてのフオーカルプレーンシヤツタを第３図に示す。
　図において、１はシヤツタ地板、２は羽根駆動レバー軸である、一端側に主アーム回転軸２ａが形成されている。３は前記羽根駆動レバー２をチヤージする為のチヤージレバー（不図示）の回転中心となるチヤージレバー軸３、４は補助アーム回転軸、５，６はカバー板１３を上記シヤツタ地板１に取り付ける為の軸、７は該シヤツタ地板１に形成されたアパーチヤ、８は上記各軸２，３，４，５，６をカシメ取り付けする為の該シヤツタ地板１に形成された穴、９はチヤージレバー（不図示）の揺動範囲の形状に形成された溝（孔）。１０は先羽根群であり、主アーム１０ａ及び補助アーム１０ｂに、スリツト形成羽根１０ｃと他の分割羽根１０ｄとがカシメ部１０ｅによりリンク支持されている。又主アーム１０ａの揺動中心孔にはアーム軸受がカシメにより取着される。なお。主アーム１０ａは羽根駆動レバー軸２の主アーム回転軸２ａによって揺動自在に支持され、補助アーム１０ｂは補助アーム回転軸４に揺動自在に支持されている。１１は後羽根群であり、主アーム１１ａ及び補助アーム１１ｂに、スリツト形成羽根１１ｃと他の分割羽根１１ｄとがカシメ部１１ｅによりリンク支持されている。又、主アーム１１ａの揺動中心孔にはアーム軸受がカシメにより取着される。なお、主アーム１１ａは主アーム回転軸２ａによって揺動自在に支持され、補助アーム１１ｂは補助アーム回転軸４に揺動自在に支持されている。１２は先羽根群１０と後羽根群１１との増に配置され、両者の干渉を防止する為の仕切板である。なお、仕切板１２にも上記アパーチヤ７と対応する開口１２ａが形成されている。１３はカバー板であり、上記シヤツタ地板１と同様に金属の薄板にて形成され、上記アパーチヤ７と対応する開口１３ａが形成されている。１４，１５はスペーサであり、各羽根群１０，１１の走行をスムーズに保つ為に、各羽根１０ｃ，１０ｄ，１１ｃ，１１ｄの先端領域が摺動ずる位置に配置される。
［発明が解決しようとしている問題点］
　この従来のシヤツタ構造では。上記羽根駆動レバー軸２、チヤージレバー軸３、補助アーム回転軸４、軸５，６はシヤツタ地板１の穴８にカシメて取り付けている為、シヤツタ地板ユニツトが完成するまでに時間がかかり、又、コストも高くなっていた。
　そこで、コスト低下及び工程簡略化するために、シヤツタ地板を合成樹脂にて成形して作り、この際に上記各種の軸を同時に一体成形することが考えられる。しかしながら、シヤツタ地板は薄い部材となることから、合成樹脂による成形品では、羽根駆動レバー、チヤージレバー等に大きな力がかかると、その力により変形が生じて各羽根群の走行に微妙な影響を与えてしまうことが予想される。そうすると、当然シヤツタ露光（秒時）の精度は保証できないことになり、又、最悪の場合には強度不足によるシヤツタ地板の破損事故の発生も予想される。
［発明の目的］
　本発明の目的は、合成樹脂にて成形により作ったとしても強度面にて問題をなくすと共に、一体成形した軸に挿入されるレバー等の倒れ問題も対処したシヤツタ地板を有するカメラ用シヤツタを提供することにある。
［問題点を解決するための手段］
　請求項１の発明は、合成樹脂より成形されたシヤツタ地板を有し、前記シヤツタ地板の一方面にはシヤツタ羽根群が配置され、他方面には前記シヤツタ羽根群を駆動するための駆動機構が配置されるカメラ用シヤツタにおいて、前記シヤツタ地板の前記一方面に、前記シヤツタ羽根群をリンク支持する
先羽根及び後羽根アーム
複数の
複数の
複数の
先羽根及び後羽根アームの内、主
　請求項２の発明は、合成樹脂より成形されたシヤツタ地板を有し、前記シヤツタ地板の一方面には複数のシヤツタ羽根群が配置され、他方面には前記複数のシヤツタ羽根群を駆動するための駆動機構が配置されるカメラ用シヤツタにおいて、前記シヤツタ地板の前記一方面に、前記複数のシヤツタ羽根群をリンク支持する
先羽根アームの主アームと補助アーム及び後羽根アームの主アームと補助アーム
先羽根アームの前記主アームと前記補助アーム及び前記後羽根アームの前記主アームと前記補助アーム
先羽根アームの前記主アームと前記補助アーム及び前記後羽根アームの前記主アームと前記補助アーム
［実施例］
　シヤツタ地板をシヤツタ羽根群が配置された一方面側から見た第１図およびシヤツタ羽根群の駆動機構が配置された他方面側から見た第２図に基づき、本発明の実施例を説明する。
　２０は合成樹脂材としての液晶ポリマー（ＬＣＰ）にて成形されたシヤツタ地板であり、２３は主アーム支持軸、２４は補助アーム支持軸、２５，２６はカバー板１３の取付用軸、２７はリブ、３０，３１は上記主アーム支持軸２３の周囲の領域（アーム軸受１０ｆ，１１ｆの位置する領域３５，３６の部分は除く）に形成した肉増し部分であり、このリブ２７と部分３０，３１は両羽根群１０，１１の走行を阻害しない範囲（アーム１０ａ，１０ｂ，１１ａ，１１ｂの走行領域３９を除く領域）でシヤツタ地板２０の端縁に形成され、強度向上（ソリの防止、破損防止等）と平面度向上を果たすことが出来る。
　ここで、部分３０，３１はシヤツタ地板２０の一端縁近傍にてつなげて形成してリブ状にしたので、各種の軸（近傍に形成された軸２３，４１，４２等）の倒れを防止できると共に、シヤツタ地板２０全体のソリの防止も果たすことができる。
　なお、上記領域３５，３６を肉厚としないのは、アーム軸受１０ｆ，１１ｆ（第４図参照）が入り込めるようにして、シヤツタ全体の厚みを増さないようにすると共に、嵌合長を少しでも長くしてレバー体としてのアームの傾きを少なくするためである。４０は後述の先羽根及び後羽根駆動レバー６０，６１の両方をチヤージする為のチヤージレバー５０における回転中心たる軸、４１は先羽根群１０の駆動を行う先羽根駆動レバー６０における回転中心たる軸、４２は後羽根群１１の駆動を行う後羽根駆動レバー６１における回転中心たる軸、４３は先羽根駆動レバー６０の発動を阻止する先駆動緊定レバー６２の回転中心軸４４は後羽根駆動レバー６１の発動を阻止する後駆動緊定レバー６３の回転中心軸、４５は電磁石用の地板６４を取付けるための軸で、地板６４は図示しないビスにより軸４３，４４，４５に固定される。４６，４７，４８はシヤツタ地板２０のアパーチヤ２０ａの周囲領域４９よりも厚みを増した部分であり、軸４０，４１，４２，４３，４４，４５のように力がかかる軸のまわりに限定される。
　ただし、部分４７，４８では両緊定レバー６２，６３の軸受部６２ｃ，６３ｃが位置する領域４７ａ，４８ａだけは他の部分よりは肉厚を薄く設定している。
　なお、この領域４７ａ，４８ａの肉厚はアパーチヤ２０ａの周囲領域４９の肉厚よりは厚く設定されている。これは、軸４３４４があまり力の加わらない両緊定レバー６２，６３を軸支するためのものであって、強度だけではなく両緊定レバー６２，６３の倒れを少なくすることを考慮したものであり、嵌合長が長くとれるので倒れを少なくすることに対して効果がある。ただし、この領域４７ａ，４８ａは上記周囲領域４９より肉厚にしているので、強度面に対しても向上する方法で対処している。６５はコイル６７により吸引力を発生するためのヨーク、６６はコイル６８により吸引力を発生するためのヨークでヨーク６５，６６は地板６４に固定される。６９，７０はヨーク６５，６６で吸引されることにより緊定レバー６２，６３の軸部６２ｂ，６３ｂを作動させ、先羽根及び後羽根駆動レバー６０，６１の発動を行うアマチヤで、地板６４の軸６４ａ，６４ｂを回転中心として支持される。
　ここで、軸２３，２４，２５，２６，４０，４１，４２，４３，４４，４５とリブ２７及び肉厚部４６，４７，４８は、シヤツタ地板２０と一体成形される。すなわち上記各種の軸２３，２４，２５，２６，４０，４１，４２，４３，４４，４５はシヤツタ地板２０の成形の際に同時に一体成形されることにより、従来必要としたカシメ工程が無くなることになる。
　ここで、シヤツタがチヤージされる動作を説明する。チヤージレバー５０の足５０ｃが図示しない本体のチヤージ伝達部材によりチヤージ力が付勢され、第２図上時計まわりの回動を開始する。チヤージレバー５０が時計方向（第２図において）の回転を開始すると、チヤージレバー５０の足５０ａ，５０ｂがそれぞれ先羽根及び後羽根駆動レバー６０，６１と当接し、図示しない駆動バネに反して両駆動レバー６０，６１は第２図中反時計回転を開始する。両駆動レバー６０，６１の回転が進むと。両駆動レバー６０，６１の緊定部６０ａ，６１ａがそれぞれ緊定レバー６２，６３の緊定部６２ａ，６３ａと係合して係止される位置までチヤージされ、シヤツタのチヤージは完了する。なお、両緊定レバー６２，６３には軸４３，４４に、挿入される軸受部６２ｃ，６３ｃが形成されている。
　この際、両駆動レバー６０，６１を駆動するバネ力はたいへん大きいため、チヤージ過程において軸４０，４１，４２にはたいへん大きな力が加わる。このとき、シヤツタ地板２０の剛性が弱いとシヤツタ地板２０には変形（ソリ等）を生じ、軸のたおれが発生してしまうために、チヤージストローグが伸びてしまい、エネルギーのロスや、チヤージしきれないという事故が発生する。
　またチヤージ完了後、両駆動レバー６０，６１は緊定レバー６２，６３により係止されるが、軸４１，４２，４３，４４には駆動バネ力による大きな力がかかるため、地板に変形（ソリ等）が生じると両羽根群１０，１１のスタート位置がずれてしまったり、緊定の解除されるタイミングがずれてしまう等たいへん精度が悪くなるという事故が発生する。
　しかし、本実施例によれば、地板２０の肉増した部分４６，４７，４８によって力のかかる軸のまわりの肉厚を増すとともに、シヤツタ地板２０の羽根群配置側（第１図）においても羽根群の動きを阻害しない範囲で肉増した部分３０，３１を設けることにより、上記の軸、特に軸４１，４２にかかる力によるシヤツタ地板２０の変形は生じない、剛性の非常に高いシヤツタ地板２０が提供可能となる。このとき、シヤツタ地板２０の駆動レバー側の面（第２図側）において、アパーチヤ２０ａの周囲領域４９は従来の金属地板とほぼ同一肉厚としても剛性の高いシヤツタ地板２０を提供でき、カメラの中でしめるシヤツタ部の大きさもほとんど増大しない。また、シヤツタ地板２０の全体の平面度は、羽根群側面（第１図）に設けたリブ２７により確保される。このときリブ２７はシヤツタ地板２０とカバー板１３の間で形成されるため、高さをカバー板１３の位置まで設定したとしてもカメラの中に占める体積はまったく増大しない。
　なお、上述実施例において、肉増した部分４６の領域はチヤージレバー５０、先羽根駆動レバー６０及び後羽根駆動レバー６１の回動領域となる為、他の肉増した部分４７，４８に比べて若干低くなるように設定して、各種レバー及び電磁石が配置されるシヤツタ地板２０の一方側端部領域の高さが必要以上に高くならないようにしている。
　又、上記軸４０，４１，４２はその基部に更なる円形の肉増した部分４０ａ，４１ａ，４２ａを設けることにより更なる補強をしている。ここで、軸４１は他の肉増した部分４７，４８に比べて若干低く設定される肉増した部分４６上に位置している為、円形の肉増した部分４１ａは他に比べて高く設定して他の軸４２と強度上のバランスをはかっている。
　又、主アーム１０ａ，１１ａを軸支する主アーム支持軸２３では領域３５，３６の部分は肉厚としないで、凹部状に形成してアーム軸受１０ｆ，１１ｆの嵌合長をかせぐと共にシヤツタ全体の厚みを増さないようにしている。ただし、この領域３５，３６を肉厚としなくても、アパーチヤ２０ａの周囲領域より凸部状にした部分３０，３１をつなげてリブ状にしたことにより、この軸２３（当然裏面側の軸４１，４２も）の倒れを防止したと共にシヤツタ地板２０全体のソリの防止も果した。
　又、緊定レバー６２，６３のように力がそれほど加わらないレバー体を軸支する軸４３，４４では、この緊定レバー６２，６３の軸受部６２ｃ，６３ｃの位置する部分だけは他の部分（部分４７，４８における）より肉薄な領域４７ａ，４８ａにしたことにより、緊定レバー６２，６３の嵌合長を長くして倒れを少なくすることができた。ただし、この領域４７ａ，４８ａはアパーチヤ２０ａの周囲領域４８の肉厚よりは肉厚を厚くしたので、強度面に対しても向上させることができた。
［発明の効果］
　以上、説明したように、請求項１の発明では、従来カシメにより取り付けていた軸も一体的に合成樹脂により成形することにより工程が大幅に短縮でき、また軸の周囲領域のうち軸に挿入されるアームの軸受と重なる領域を凹部状に一体成形したことにより、軸受の嵌合長も確保してアームの傾きも小さくすることができ、さらにはシヤツタ全体の厚みを増さないようにすることができる。
　また、請求項２の発明では、さらに複数のアームの軸受と重なる領域を除く、一端縁近傍に位置する複数の軸の各々の周囲領域をアパーチヤの周囲領域より凸部状にすると共に、凸部状にした複数の周囲領域をつなげて一体成形したので、シヤツタ地板の一端縁にリブを形成したことと同じにしたので、特に強度面で重要な軸位置での剛性を高くすることができる。
【図面の簡単な説明】
第１図は本発明を実施したシヤツタの羽根群側より見た斜視図。
第２図は本発明を実施したシヤツタの駆動レバー側より見た斜視図。
第３図は従来のシヤツタを羽根群側より見た斜視図。
第４図は第１図の主アームの要部断面図。
２０……シヤツタ地板
２３，４３，４４……軸
３０，３１，４７，４８……肉増し部
４９……アパーチヤ周囲領域
３５，３６，４７ａ，４８ａ……肉厚を薄くした領域